(57)【要約】【課題】            シートクッションとコンソールとの隙間からシートスライダ等が露見しないようにし、シートクッション周りの見栄えを向上可能にする。【解決手段】        シートクッション１Ａのシートトリムカバー５のコンソール６に対向する面側に、前記シートクッション１Ａ下部に設置された少なくともシートスライダ１２付近を覆う目隠しカバー２１を取り付けた構成である。【選択図】          図１
2010173387.tif 000002
【特許請求の範囲】
【請求項１】
シートクッションのシートトリムカバーのコンソールに対向する面側に、前記シートクッションとコンソールとの隙間を覆う目隠しカバーが取り付けられていることを特徴とする車両用シート。
【請求項２】
前記目隠しカバーは、一端がシートクッションのシートトリムカバーのコンソールに対向する面側の中間部に取り付けられ、他端にフック部材が取り付けられ、このフック部材がシートクッションのフレームに取り付けられた被係止部材に着脱可能に装着され、シートクッションとコンソールとの隙間を覆うことを特徴とする請求項１に記載の車両用シート。
【請求項３】
前記目隠しカバーが、所定形状に湾曲可能であって、所定形状とすると該所定形状を保持可能な剛性を有するシート材からなることを特徴とする請求項１または２記載の車両用シート。
【発明の詳細な説明】
【技術分野】
【０００１】
本発明は、シートクッションとコンソールとの間の隙間を覆い見栄えを良くする車両用シートに関する。
【背景技術】
【０００２】
一般的な車両用シートは、シートクッションとシートバックとからなる（例えば、特許文献１参照）。これらのうちシートクッションは、シートクッションフレームと、発泡ウレタンなどからなるパッド部と、このパッド部等の外側を被覆するシートトリムカバーと、を備えて構成される。
【０００３】
図４はかかるシートクッションがフロントシートである場合を示す。このシートクッション１の基部には、背もたれとしてのシートバック２が傾動操作可能に連設されている。このシートバック２の上部にはヘッドレスト７が取り付けられている。シートクッション１は、図５に示すように、シートクッション１の骨組みであるシートクッションフレーム３と、発泡ウレタンなどからなるパッド部４と、パッド部４を被覆する表皮としてのシートトリムカバー５とを備えている。
シートクッション１の左側（図４では、紙面に向かって下方。図５では、右方）
には、コンソール６が配置されている。
【０００４】
シートクッションフレーム３は一部がパッド部４内に埋設され、垂直下方に延びて下部３ａがパッド部４の下端から外に突出している。このシートクッションフレーム３の下端部には、支持ワイヤ８を介してフック係止用ワイヤ９が水平方向に支持されている。このフック係止用ワイヤ９と支持ワイヤ８は、同一物が採用されている。
シートトリムカバー５は、シートクッション１の側部側においてパッド部４の下端より下方に長く延設されている。この延設端部５ａの２箇所には、Ｊ字形フック部材１０がその基部で縫い付けられている。符号１０ａはその縫合部である。これらのＪ字形フック部材１０はフック係止用ワイヤ９の２箇所にそれぞれ引っ掛けるようにして係止されている。このため、シートトリムカバー５はシートクッション１の幅方向に張力が付与されている。
【０００５】
また、パッド部４には、略Ｌ字状鋼板からなる支持フレーム１１の上端部が埋設され、この支持フレーム１１の下端はパッド部４の下端より下方に突出して、シートスライダ１２の可動部１２ａに固着され、前後移動自在に支持されている。
【先行技術文献】
【特許文献】
【０００６】
【特許文献１】実開平６−１３６９９号公報
【発明の概要】
【発明が解決しようとする課題】
【０００７】
しかしながら、従来の車両用シートにあっては、シートクッション１を前後方向に移動可能に支持するシートスライダ１２およびその取り付け部品等が、シートクッション１とコンソール６との隙間（間隙）から露見し、図５に示すように上方から見えてしまい、従って車室空間の美観を損ね好ましくない。特に乗用車では高級感のイメージを害する。
本発明は、前記のような従来の課題を解決するためになされたものであり、その目的とするところは、シートクッションとコンソールとの隙間からシートスライダ等が露見しないようにし、以ってシートクッション周りの見栄えを向上することができる車両用シートを得ることにある。
【課題を解決するための手段】
【０００８】
前記目的達成のために、本発明に係る車両用シートは、シートクッションのシートトリムカバーのコンソールに対向する面側に、前記シートクッションとコンソールとの隙間を覆う目隠しカバーが取り付けられていることを特徴とする。
この構成により、目隠しカバーはシートクッションおよびコンソール間の隙間を通してシートスライダおよびその周辺を乗車者や運転者等の視界から遮ることとなり、従ってシーとクッション周りの見栄えを良くし、車室空間の美観を向上することができる。
【０００９】
また、本発明に係る車両用シートの前記目隠しカバーは、一端がシートクッションのシートトリムカバーのコンソールに対向する面側の中間部に取り付けられ、他端にフック部材が取り付けられ、このフック部材がシートクッションのフレームに取り付けられた被係止部材に着脱可能に装着され、シートクッションとコンソールとの隙間を覆うことを特徴とする。
この構成により、目隠しカバーに取り付けられたフック部材をフレームに取り付けられた被係止部材に装着するだけで、シートクッションとコンソールとの隙間を覆うことができる。また、目隠しカバーは、一端がシートクッションのシートトリムカバーに取り付けられ、他端にフック部材が取り付けられ、このフック部材をシートクッションのフレームに取り付けられた被係止部材に着脱可能に装着しているので、シートクッションと共に移動し、シートクッションを移動させても、いずれの移動位置でもシートクッションとコンソールとの間の隙間を目隠し可能となる。
【００１０】
また、本発明に係る車両用シートは、目隠しカバーが、所定形状に湾曲可能であって、所定形状に湾曲形成すると該所定形状を保持可能な剛性を有するシート材からなることを特徴とする。
この構成により、目隠しカバーをシートクッションとコンソールとの間において、例えば、ドーム形に湾曲してシートクッションとコンソールの間を覆うと、このドーム形を保持して目隠しを持続させる。
なお、目隠しカバーは、シートトリムカバーと同様な色彩、模様等とすると、目隠しカバーとシートトリムカバーとが一体感をなし、シートクッション全体に高級感を付与することができるので好ましい。
【発明の効果】
【００１１】
本発明によれば、シートクッションとコンソールとの隙間からシートスライダ等が露見しないようにし、以ってシートクッション周りの見栄えを向上することができる。
【図面の簡単な説明】
【００１２】
【図１】本発明に係る車両用シートの実施形態を示す要部の縦断面図である。
【図２】図１における目隠しカバーによる目隠し状況を示す説明図である。
【図３】図１における目隠しカバーのフック係止用ワイヤに対する係止状況を示す説明図である。
【図４】従来の一般的な車両用シートの平面図である。
【図５】図４における車両用シートの一部を示す縦断面図である。
【発明を実施するための形態】
【００１３】
以下に、本発明の実施形態を、図面を参照して詳細に説明する。
なお、本実施形態では、車両用シートのシートクッションがコンソールに隣接する運転席側のフロントシートである場合を例にして説明する。本実施形態の車両用シートは、図４に示す従来のものと同様である。即ち、図１に示すように、シートクッション１Ａと図４に示したシートバック２とからなる。
【００１４】
これらのうちシートクッション１Ａは、シートクッションフレーム３と、発泡ウレタンなどからなるパッド部４と、このパッド部４の外側を被覆するシートトリムカバー５とを備えて構成される。また、シートクッション１Ａの側方（図２では、右方）には、コンソール６が配置されている。
【００１５】
シートクッションフレーム３は一部がパッド部４内に埋設され、垂直下方に延びて下部３ａがパッド部４の下端から外に突出している。このシートクッションフレーム３の下端部には、支持ワイヤ８を介してフック係止用ワイヤ９が水平方向に支持されている。このフック係止用ワイヤ９と支持ワイヤ８は、同じワイヤを採用するのが部品点数が少なくなるので好ましい。。
【００１６】
また、シートトリムカバー５は、コンソール６に対向する側がパッド部４の下端より下方に長く延設されている。この延設端５ａには、Ｊ字形フック部材１０の基部が縫い付けられている。符号１０ａはその縫合部である。これらのＪ字形フック部材１０はフック係止用ワイヤ９にそれぞれ引っ掛けるようにして係止され、シートトリムカバー５に対しシートクッション１Ａの幅方向に張力を付与している。
【００１７】
パッド部４には、略Ｌ字状鋼板からなる支持フレーム１１の上端部が装着されている。この支持フレーム１１の下端はパッド部４の下端より下方に突出して、シートスライダ１２の可動部１２ａ上に固定されている。これにより支持フレーム１１は車体の前後方向にスライド自在となっている。
【００１８】
また、シートクッション１Ａ側方の、シートトリムカバー５の下端から上方の所定高さ位置に、目隠しカバー２１の一端が縫い付けられている。符号２１ａはその縫合部を示す。この目隠しカバー２１は、所定形状に湾曲可能であって、所定形状に湾曲形成すると所定形状を保持する剛性を備えるのが好ましい。それは目隠しカバー２１をシートクッション１Ａとコンソール６との間において、例えば、ドーム形に湾曲してシートクッション１Ａとコンソール６との間を覆うと、このドーム形を保持して目隠しを持続するからである。目隠しカバー２１としては、例えば、カーペットのようにある程度の剛性（弾性および腰の強さ）を持つシート、フィルム、織布、不織布などを素材として構成される。従って、この目隠しカバー２１は自重や気温などの周辺環境の影響を受けることなく、半永久的に前記剛性（弾性および腰の強さ）で所定形状を維持する。
【００１９】
この目隠しカバー２１は、シートクッション１Ａの移動にも拘わらずフロントシート１とコンソール６との隙間を後述のように塞いで、シートスライダ１２や部品等を覆う（隠す）ことができるサイズである。なお、このシートクッション１Ａは、図２に示すように、湾曲させた目隠しカバー２１が、コンソール６に僅か接触した状態で、または僅か離れた状態にて所定のシートポジションに移動可能となっている。これにより、コンソール６との接触による異音の発生や接触部の磨耗を回避できる。
【００２０】
この目隠しカバー２１は、前述のように弾性を有するため、この目隠しカバー２１の下方に喫煙用ライタ、指輪などの小物、小銭などが落下した場合でも、その目隠しカバー２１を手で除けることにより、容易に拾い上げることができる。
【００２１】
目隠しカバー２１の他端中央部には、Ｊ字形フック部材２２の基部が縫い付けられている。符号２１ｂはその縫合部を示す。このＪ字形フック部材２２は前述のＪ字形フック部材１０と同一形状、サイズであってもよい。このＪ字形フック部材２２のフック部分はフック係止用ワイヤ９に引っ掛けるようにして係止できるサイズ、形状をなす。
【００２２】
従って、この目隠しカバー２１を、縫合部２１ａ付近を中心として、図１に示す状態から図２に示す状態に湾曲させ、Ｊ字形フック部材２２のフック部をフック係止用ワイヤ９に係止させることができる。このとき、このＪ字形フック部材２２のフック部は、既にフック係止用ワイヤ９に係止されている２つのフック部材１０間のフック係止用ワイヤ９に係止される。
【００２３】
この場合において、目隠しカバー２１は前述のように弾性を有し、円弧状に湾曲させた場合に、湾曲部分２１ｃが下部のシートスライダ１２付近を隠すようにシートクッション１Ａとコンソール６との間隙Ｇを塞ぐことになる。従って、この目隠しカバー２１は見栄えがよくないシートスライダ１２付近を乗員や運転者等の視界から遮ることとなる。
【００２４】
この場合において、目隠しカバー２１自体の色彩、模様等のデザインをシートトリムカバー５と同一とすることにより、デザイン上の統一性が得られ、シートクッション１Ａ全体の落ち着き、高級感を具現できる。
【００２５】
以上のように、本実施形態の車両用シートは、シートトリムカバー５のコンソール６に対向する面側に、前記シートクッション１Ａ下部に設置された少なくともシートスライド１２付近を覆う目隠しカバー２１を取り付けた構成とした。
これによって、この目隠しカバー２１は上方からシートクッション１Ａおよびコンソール６間の隙間Ｇを通してシートスライダ１２およびその周辺を乗員や運転者等の視界から遮ることとなり、これによりシートクッション１Ａ周りの見栄えを向上でき、結果として車室空間の美観を向上することができる。
【産業上の利用可能性】
【００２６】
本発明は、目隠しカバーによってシートクッションおよびコンソール間の隙間を通して運転者や乗員が見栄えの悪いシートスライダ等が看取できないようにし、車室空間の美観を損ねることを回避できるという効果を有し、シートクッションとコンソールとの間の見栄えを良くする車両用シート等に有用である。
【符号の説明】
【００２７】
１Ａ  シートクッション
３  シートクッションフレーム
４  パッド部
５  シートトリムカバー
６  コンソール
８  支持ワイヤ
９  フック係止用ワイヤ
１０  Ｊ字形フック部材
１１  支持フレーム
１２  シートスライダ
２１  目隠しカバー
２１ｃ  湾曲部分
【図１】
2010173387.tif 000003
【図２】
2010173387.tif 000004
【図３】
2010173387.tif 000005
【図４】
2010173387.tif 000006
【図５】
2010173387.tif 000007